(57)【要約】      （修正有）【課題】袋支持具の汎用性を高める。【解決手段】袋支持具１０は、相互に離間して対向配置され、一対の把手２０３を有する第１の袋２００を開口状態で支持する一対の第１の袋支持部１３を備える。第１の袋支持部１３は、第１の袋２００の把手２０３をそれぞれ引っ掛ける引掛部１４を複数有し、第１の袋支持部１３は、同一の高さであって一対の第１の袋支持部１３の対向方向と直交する方向に沿って配置された複数の引掛部１４を有する。また規格化された第２の袋であるレジ袋を開口状態で支持する一対の第２の袋支持部を備える。【選択図】図２
2011051651.tif 000002
【特許請求の範囲】
【請求項１】
相互に離間して対向配置され、一対の把手を有する第１の袋の前記把手をそれぞれ引っ掛ける引掛部を複数有し、前記第１の袋を開口状態で支持する一対の第１の袋支持部を備えることを特徴とする袋支持具。
【請求項２】
前記第１の袋支持部は、同一の高さであって一対の前記第１の袋支持部の対向方向と直交する方向に沿って配置された複数の前記引掛部を有することを特徴とする請求項１に記載の袋支持具。
【請求項３】
前記第１の袋支持部は、鉛直方向に沿って複数段に配置された複数の前記引掛部を有することを特徴とする請求項１又は２に記載の袋支持具。
【請求項４】
前記引掛部には、当該引掛部の基端部から先端部へ向かうにつれて幅が広くなると共に上方に位置する形状の拡幅部が形成されていることを特徴とする請求項１ないし３のいずれか一項に記載の袋支持具。
【請求項５】
規格化された第２の袋であるレジ袋を開口状態で支持する一対の第２の袋支持部を備えることを特徴とする請求項１ないし４のいずれか一項に記載の袋支持具。
【請求項６】
一対の前記第２の袋支持部は、一対の前記第１の袋支持部の間に設けられていることを特徴とする請求項５に記載の袋支持具。
【発明の詳細な説明】
【技術分野】
【０００１】
本発明は、袋支持具に関する。
【背景技術】
【０００２】
近年、スーパーマーケットなどの店舗における買物において、客が自分の袋であるマイバッグを店舗に持ち込み、購入した商品をそのマイバッグに入れて持ち帰るという形態が広がりつつある。
【０００３】
このような買い物形態に対応して、店舗には、マイバッグの一対の把手を引っ掛けてマイバッグを開口状態で支持する袋支持具が設置されており、客は、袋支持具にマイバッグを引っ掛けることで容易にマイバッグへ商品を詰め込むことができる（例えば、特許文献１参照）。
【発明の概要】
【発明が解決しようとする課題】
【０００４】
このようなマイバッグには、形状や大きさに様々な種類が有り、把手の長さや幅もバラバラである。しかしながら、従来の袋支持具は、マイバッグの把手を引っ掛ける引掛部が、把手一つに対して一つずつしか設けられていないため、形状や大きさが異なる様々な種類のマイバッグへの対応が困難であり汎用性が低いという問題がある。
【０００５】
本発明は、上記に鑑みてなされたものであって、袋支持具の汎用性を高めることを目的とする。
【課題を解決するための手段】
【０００６】
上述した課題を解決し、目的を達成するために、本発明の袋支持具は、相互に離間して対向配置され、一対の把手を有する第１の袋の前記把手をそれぞれ引っ掛ける引掛部を複数有し、前記第１の袋を開口状態で支持する一対の第１の袋支持部を備えることを特徴とする。
【発明の効果】
【０００７】
本発明によれば、袋支持具の汎用性を高めることができる。
【図面の簡単な説明】
【０００８】
【図１】図１は、本発明の一実施の形態にかかる袋支持具を示す斜視図である。
【図２】図２は、第１の袋支持構造でマイバッグを支持した状態の袋支持具を示す斜視図である。
【図３】図３は、第１の袋支持構造の第１の袋支持部を示す斜視図である。
【図４】図４は、第１の袋支持構造の引掛部を示す側面図である。
【図５】図５は、第１の袋支持構造の引掛部を示す正面図である。
【図６】図６は、別例の第１の袋支持構造の引掛部を示す正面図である。
【図７】図７は、レジ袋を支持した状態の第２の袋支持構造を示す斜視図である。
【発明を実施するための形態】
【０００９】
以下に添付図面を参照して、この発明にかかる袋支持具の一実施の形態を詳細に説明する。
【００１０】
図１は、本実施の形態にかかる袋支持具を示す斜視図である。図１に示すように、袋支持具１０は、店舗に設置される。袋支持具１０は、第１の袋であるマイバッグ２００（図２参照）を開口状態で支持する第１の袋支持構造１１と、第２の袋であるレジ袋３００（図６参照）を開口状態で支持する第２の袋支持構造１２と、マイバッグ２００やレジ袋３００の底部を載置面１０１で支持する載置台１００と、を備えている。マイバッグ２００は客が店舗に持ち込む袋であり、レジ袋３００は店舗が顧客に提供するビニール袋であり、客は購入した商品をマイバッグ２００やレジ袋３００に入れて持ち運ぶことができる。なお、以後では、説明の便宜上、載置面１０１の奥行方向を前後方向、載置面１０１の奥行方向と直交する幅方向を左右方向ともいう。
【００１１】
図２は、第１の袋支持構造でマイバッグを支持した状態の袋支持具を示す斜視図である。図２に示すように、第１の袋支持構造１１が支持するマイバッグ２００は、上面に開口部２０１が形成された収納部２０２と、この収納部２０２の上部に連設された一対の把手２０３と、を有して構成されている。
【００１２】
第１の袋支持構造１１は、相互に離間して配置された一対の第１の袋支持部１３を有している。一対の第１の袋支持部１３は、マイバッグ２００の把手２０３をそれぞれ引っ掛ける引掛部１４を複数有し、マイバッグ２００を開口状態で支持する。一対の第１の袋支持部１３は、面対称形状に形成されている。
【００１３】
図３は、第１の袋支持構造の第１の袋支持部を示す斜視図、図４は、第１の袋支持構造の引掛部を示す側面図、図５は、第１の袋支持構造の引掛部を示す正面図、図６は、別例の第１の袋支持構造の引掛部を示す正面図である。
図３及び図４に示すように、各第１の袋支持部１３は、同一の高さであって一対の第１の袋支持部１３の対向方向と直交する方向に沿って配置された複数の引掛部１４を有する。また、第１の袋支持部１３は、鉛直方向に沿って複数段に配置された複数の引掛部１４を有する。詳細には、第１の袋支持部１３は、一対の第１の袋支持部１３の対向方向と直交する方向に延在したバー部材１５を鉛直方向に複数段有し、これらの各バー部材１５に複数の引掛部１４が形成されている。
【００１４】
バー部材１５は、単一の棒素材が折り曲げ形成されることで形成されたものである。このバー部材１５は、ベース１６を有しており、引掛部１４は、ベース１６から突出しており、この引掛部１４には、当該引掛部１４の基端部１４ａ側から先端部１４ｂ側へ向かうにつれて幅が広くなると共に上方に位置する形状の拡幅部１４ｃが形成されている。また、引掛部１４は、一対の第１の袋支持部１３の間の中央部から離れる方向にベース１６から延出している。引掛部１４は、側面視で略逆Ｕの字を成している。別の言い方をすると、引掛部１４は、側面視で下辺を省略した台形形状に形成されている。引掛部１４は、図５に示すように、正面視でベース１６から直線状に延出している。なお、引掛部１４は、図６に示すように、湾曲していても良い。
【００１５】
第１の袋支持構造１１は、図１に示すように、載置台１００の上下左右に立設された４つの第１の柱部材１７を備えており、右側のバー部材１５は、右側の前後２つの第１の柱部材１７に掛け渡されている。一方、左側のバー部材１５は、左側の前後２つの第１の柱部材１７に掛け渡されている。これらの第１の柱部材１７間には、水平方向に延在する架材１８が掛け渡されている。なお、前側の２つの第１の柱部材１７間には、架材１８は設けられていない。
【００１６】
このような構成の第１の袋支持構造１１は、マイバッグ２００の一方の把手２０３を一方（例えば右側）の第１の袋支持部１３の１以上の引掛部１４で引っ掛けるとともに、マイバッグ２００の他方の把手２０３を他方（例えば左側）の第１の袋支持部１３の１以上の引掛部１４で引っ掛けて、マイバッグ２００を開口状態（開口部２０１が開いた状態）で支持する。このように第１の袋支持構造１１によって支持されたマイバッグ２００の底部は、載置台１００の載置面１０１によって支持される。
【００１７】
図７は、レジ袋を支持した状態の第２の袋支持構造を示す斜視図である。図７に示すように、第２の袋支持構造１２が支持するレジ袋３００は、上面に開口３０１が形成された収納部３０２と、この収納部３０２の上部に連設された一対の把手３０３と、一対の把手３０３の間に位置する一対の耳部３０４と、を有している。一対の把手３０３には、通し孔３０３ａが形成されている。また一対の耳部３０４には、引掛孔３０４ａが形成されている。一対の耳部３０４における収納部３０２との接続部には、ミシン目が形成されており、一対の耳部３０４は、ミシン目で本体部と分離可能となっている。このレジ袋３００は、規格化されている。
【００１８】
第２の袋支持構造１２は、図１及び図７に示すように、棒状の一対の第２の袋支持部２１と、フック２２と、を有している。一対の第２の袋支持部２１は、載置台１００の後部に立設された左右２つの第２の柱部材２３から前方へ突出して設けられており、これらの第２の袋支持部２１は、第２の柱部材２３によって片持ち支持されている。一対の第２の袋支持部２１は、レジ袋３００の一対の把手３０３を串刺し状態で保持する。詳しくは、一対の第２の袋支持部２１は、レジ袋３００の一対の把手３０３に挿入されている。ここで、左右の第２の柱部材２３は、後ろ側の左右の第１の柱部材１７に掛け渡された架材１８に溶接等によって接合されている。
【００１９】
一対の第２の袋支持部２１は、第１の袋支持構造１１の一対の第１の袋支持部１３の間に配置されており、かかる配置によって、第１の袋支持構造１１によってマイバッグ２００が位置付けられるスペースＳ１と、第２の袋支持構造１２によってレジ袋３００が位置付けられるスペースＳ２とは、少なくとも一部が同じとなっている。
【００２０】
フック２２は、後ろ側の左右の第１の柱部材１７に掛け渡された架材１８から前方へ突出して設けられている。フック２２は、レジ袋３００の耳部３０４の引掛孔３０４ａを引っ掛けて耳部３０４を支持するものである。
【００２１】
このような構成の第２の袋支持構造１２は、折り畳まれた状態のレジ袋３００を、一対の第２の袋支持部２１とフック２２とで支持する。この状態から、客は、レジ袋３００から耳部３０４を切り離して、そのレジ袋３００を前方へ引き出して開口状態とする。開口状態のレジ袋３００は、一対の第２の袋支持部２１によって支持される。このように第２の袋支持構造１２によって支持されたレジ袋３００の底部は、載置台１００の載置面１０１によって支持される。
【００２２】
このような構成において、第１の袋支持構造１１はマイバッグ２００に商品を詰める客によって使用され、第２の袋支持構造１２はレジ袋３００に商品を詰める客によって使用される。客は、第１の袋支持構造１１を使用する際には、持参したマイバッグ２００の大きさや形状に合わせてマイバッグ２００の把手２０３をそれぞれ１以上の引掛部１４に引っ掛ける。例えば、大きさが比較的大きいマイバッグ２００の場合には、上段の全ての引掛部１４に把手２０３を引っ掛け（図１）、大きさが比較的小さいマイバッグ２００の場合には、特に図示しないが下段の一つの引掛部１４に把手２０３を引掛ければ良い。
【００２３】
以上説明したように、本実施の形態では、一対の第１の袋支持部１３が、第１の袋であるマイバッグ２００の把手２０３をそれぞれ引っ掛ける引掛部１４を複数有することにより、形状や大きさが異なる様々な種類のマイバッグ２００を一対の第１の袋支持部１３に引っ掛け可能であるので、袋支持具１０の汎用性を高めることができる。また、客は、マイバッグ２００の引掛部１４を自分で選ぶことで、商品の入れやすい状態にマイバッグ２００を一対の第１の袋支持部１３に支持させることができ、使い勝手が良い。
【００２４】
また、本実施の形態では、第１の袋支持部１３が、同一の高さであって一対の第１の袋支持部１３の対向方向と直交する方向に沿って配置された複数の引掛部１４を有するので、把手２０３の幅や長さに応じて把手２０３を引っ掛ける引掛部１４を同一高さで選択することができ、把手２０３の幅や長さの異なる複数種類のマイバッグ２００を第１の袋支持構造１１によって支持することができる。
【００２５】
また、本実施の形態では、第１の袋支持部１３が、鉛直方向に沿って複数段に配置された複数の引掛部１４を有するので、マイバッグ２００の高さに応じて把手２０３を引っ掛ける引掛部１４を鉛直方向で選択することができる。これにより、様々な高さのマイバッグ２００に対して、そのマイバッグ２００の底部がマイバッグ２００の自重で載置面１０１に接地した状態で、マイバッグ２００の把手２０３を一対の第１の袋支持部１３によって支持することができる。
【００２６】
また、本実施の形態では、引掛部１４には、当該引掛部１４の基端部１４ａ側から先端部１４ｂ側へ向かうにつれて幅が広くなると共に上方に位置する形状の拡幅部１４ｃが形成されている。したがって、拡幅部１４ｃによって、比較的滑り易い素材の把手２０３であっても引掛部１４から把手２０３が外れるのを抑制することができる。
【００２７】
また、本実施の形態では、袋支持具１０は、規格化された第２の袋であるレジ袋３００を開口状態で支持する一対の第２の袋支持部２１を備えるので、マイバッグ２００に加えてレジ袋３００も支持することができる。
【００２８】
また、本実施の形態では、一対の第２の袋支持部２１が、一対の第１の袋支持部１３の間に設けられているので、一対の袋支持部１３によって第１の袋であるマイバッグ２００が位置付けられるスペースＳ１と、一対の第２の袋支持部２１によってレジ袋３００が位置付けられるスペースＳ２との少なくとも一部が同じとなる。したがって、袋支持具１０の大型化を抑制することができる。
【００２９】
なお、本発明は、上記実施の形態に限ることなく本発明の要旨を逸脱しない範囲で他の実施の形態を各種採用することができる。例えば、各第１の袋支持部１３において複数の引掛部１４を第１の袋支持部１３の対向方向にずらして配置しても良い。
【符号の説明】
【００３０】
１０…袋支持具
１３…第１の袋支持部
１４…引掛部
１４ａ…基端部
１４ｂ…先端部
１４ｃ…拡幅部
１６…ベース
２１…第２の袋支持部
２００…マイバッグ（第１の袋）
２０３…把手
３００…レジ袋
【先行技術文献】
【特許文献】
【００３１】
【特許文献１】特開２００７−３２３４５３公報
【図１】
2011051651.tif 000003
【図２】
2011051651.tif 000004
【図３】
2011051651.tif 000005
【図４】
2011051651.tif 000006
【図５】
2011051651.tif 000007
【図６】
2011051651.tif 000008
【図７】
2011051651.tif 000009